(57)【要約】      （修正有）【課題】紐部材を備えたマスクに適用され、紐部材を介してマスクを係止するマスク用係止具において、マスクのフィット感の要望に応えられるマスク用係止具を提供する。【解決手段】マスク用係止具１００は、板状部材１０と、第１係止部２０と、第２係止部３０とを備えており、マスク用係止具１００の上縁部１３に、第１切欠き部２１および第３切欠き部３１が備えられている。下縁部１４には、第２切欠き部２２および第４切欠き部３２が備えられている。第１切欠き部２１は、第２切欠き部２２よりも一端１１側に配置され、第３切欠き部３１は、第４切欠き部２２よりも他端１２側に配置される。切欠き部２１、２２、３１、３２に、マスクの紐部材が引掛けられる。このため、紐部材の取付け位置を、調整する余地が生じ得る。【選択図】図１
0003229315.tif 000002
【実用新案登録請求の範囲】
【請求項１】
装着者の鼻孔および口を覆い呼吸気をフィルタ可能に構成されたフィルタ部材と、
前記フィルタ部材の左縁部において、一端および他端が取り付けられた第１紐部材と、
前記フィルタ部材の右縁部において、一端および他端が取り付けられた第２紐部材と、
を備えたマスクに適用されるマスク用係止具であって、
所定の材料で構成され、かつ、細長状に形成された板状部材と、
前記板状部材の一端側に配置され、前記第１紐部材が取り付けられる第１係止部と、
前記板状部材の他端側に配置され、前記第２紐部材が取り付けられる第２係止部と、
を備えたマスク用係止具において、
前記板状部材は、
上縁部および下縁部を備え、
前記第１係止部は、
前記板状部材の前記一端側であって、前記上縁部に配置される第１切欠き部と、
前記板状部材の前記一端側であって、前記下縁部に配置される第２切欠き部と、
を備え、
前記第１切欠き部または前記第２切欠き部に、前記第１紐部材が引掛けられるように構成され、
前記第２係止部は、
前記板状部材の前記他端側であって、前記上縁部に配置される第３切欠き部と、
前記板状部材の前記他端側であって、前記下縁部に配置される第４切欠き部と、
を備え、
前記第３切欠き部または前記第４切欠き部に、前記第２紐部材が引掛けられるように構成されたマスク用係止具。
【請求項２】
請求項１に記載のマスク係止具において、
前記第１係止部は、
前記第１切欠き部が、前記第２切欠き部よりも前記板状部材の前記一端側に配置されるように構成され、
前記第２係止部は、
前記第３切欠き部が、前記第４切欠き部よりも前記板状部材の前記他端側に配置されるように構成されたマスク用係止具。
【請求項３】
請求項１又は請求項２に記載のマスク係止具において、
前記第１係止部は、
前記第１切欠き部が、Ｌ字状に形成されるように構成され、
前記第２係止部は、
前記第３切欠き部が、Ｌ字状に形成されるように構成されたマスク用係止具。
【請求項４】
請求項１乃至請求項３の何れか一項に記載のマスク係止具において、
前記第１係止部は、
前記第２切欠き部が、Ｌ字状に形成されるように構成され、
前記第２係止部は、
前記第４切欠き部が、Ｌ字状に形成されるように構成されたマスク用係止具。
【請求項５】
請求項１乃至請求項４の何れか一項に記載のマスク係止具において、
前記板状部材は、
前記一端側から前記他端側に亘って、湾曲するように構成されたマスク用係止具。
【請求項６】
請求項１乃至請求項５の何れか一項に記載のマスク係止具において、
前記板状部材は、
前記材料として、アクリル樹脂が用いられるように構成されたマスク用係止具。
【考案の詳細な説明】
【技術分野】
【０００１】
本考案は、紐部材を備えたマスクに適用され、紐部材を介してマスクを係止するマスク用係止具に関する。
【背景技術】
【０００２】
一般的に、マスクとして、フィルタ部材と、紐部材とを備えたものが知られている。この種のマスクにおいては、紐部材が、フィルタ部材の左縁部および右縁部に対し、それぞれ一本ずつ取り付けられている。具体的には、一方の紐部材における両端が、左縁部に取り付けられる。他方の紐部材における両端が、右縁部に取り付けられる。各紐部材は、装着者のそれぞれの耳に引掛けられる。これにより、フィルタ部材が装着者の鼻孔および口を覆うように、マスクが保持され得る。
【０００３】
この種のマスクにおいては、長時間の装着時、耳と紐部材との当接部位に痛みが生じる場合がある。この問題に対し、紐部材を介してマスクを係止するマスク用係止具が、開発されてきている。このマスク用係止具は、細長状に形成された板状部材と、板状部材の両端に各紐部材が取り付けられる係止部とを備えるように、構成される場合が多い。これにより、２つの紐部材が、マスク係止具を介して接続され得る。従って、紐部材が耳に引掛けられることなく、マスクが保持され得る（例えば、特許文献１を参照）。
【先行技術文献】
【特許文献】
【０００４】
【特許文献１】特開２０１３−２５２３３９号公報
【考案の概要】
【０００５】
この種のマスク用係止具においては、マスクが保持された場合、装着者へのフィット感が要望される。上述のマスク用係止具は、１本の紐部材に対して、１箇所の係止部を備えている。すなわち、紐部材の取付け位置を、調整する余地がない。このため、装着者によっては、緩さや窮屈さを感じる場合があり、上述の要望に応えることが困難である。
【０００６】
本考案の目的は、紐部材を備えたマスクに適用され、紐部材を介してマスクを係止するマスク用係止具において、マスクのフィット感の要望に応えることができるものを提供することにある。
【０００７】
本考案によるマスク用係止具は、装着者の鼻孔および口を覆い呼吸気をフィルタ可能に構成されたフィルタ部材と、フィルタ部材の左縁部において一端および他端が取り付けられた第１紐部材と、フィルタ部材の右縁部において一端および他端が取り付けられた第２紐部材と、を備えたマスクに適用される。
【０００８】
本考案によるマスク用係止具は、所定の材料で構成されかつ細長状に形成された板状部材と、板状部材の一端側に配置され第１紐部材が取り付けられる第１係止部と、板状部材の他端側に配置され第２紐部材が取り付けられる第２係止部と、を備える。
【０００９】
本考案によるマスク用係止具の特徴は、板状部材が上縁部および下縁部を備え、第１係止部が、板状部材の一端側であって上縁部に配置される第１切欠き部と、板状部材の一端側であって下縁部に配置される第２切欠き部とを備え、第１切欠き部または第２切欠き部に第１紐部材が引掛けられるように構成され、第２係止部が、板状部材の他端側であって上縁部に配置される第３切欠き部と、板状部材の他端側であって下縁部に配置される第４切欠き部とを備え、第３切欠き部または第４切欠き部に第２紐部材が引掛けられるように構成されたことにある。
【００１０】
これによれば、１本の紐部材に対して、マスク用係止具の取付け部が、少なくとも２箇所となり得る。すなわち、紐部材の取付け位置を、調整する余地が生じ得る。従って、マスクのフィット感の要望に応えることができる。
【００１１】
上記考案に係るマスク用係止具においては、第１係止部が、第１切欠き部が第２切欠き部よりも板状部材の一端側に配置されるように構成され、第２係止部が、第３切欠き部が第４切欠き部よりも板状部材の他端側に配置されるように構成されると好適である。
【００１２】
上記考案に係るマスク用係止具においては、第１係止部が、第１切欠き部がＬ字状に形成されるように構成され、第２係止部が、第３切欠き部がＬ字状に形成されるように構成されると好適である。
【００１３】
上記考案に係るマスク用係止具においては、第１係止部が、第２切欠き部がＬ字状に形成されるように構成され、第２係止部が、第４切欠き部がＬ字状に形成されるように構成されると好適である。
【００１４】
上記考案に係るマスク用係止具においては、板状部材が、一端側から他端側に亘って湾曲するように構成されると好適である。
【００１５】
上記考案に係るマスク用係止具においては、板状部材が、材料としてアクリル樹脂が用いられるように構成されると好適である。
【図面の簡単な説明】
【００１６】
【図１】本考案の実施形態に係るマスク用係止具の構成図である。
【図２】図１に示したマスク用係止具を構成する各要素を説明するための図である。
【図３】図１に示したマスク用係止具がマスクに適用された状態を説明するための図である。
【図４】図１に示したマスク用係止具がマスクに適用された状態を説明するための図である。
【考案を実施するための形態】
【００１７】
以下、本考案によるマスク用係止具の実施形態について図面を参照しつつ説明する。
【００１８】
図１は、本考案の実施形態に係るマスク用係止具１００の構成図である。このマスク用係止具１００は、板状部材１０と、第１係止部２０と、第２係止部３０とを備えている。板状部材１０は、細長状かつ左右対称に形成されており、一端１１および他端１２が規定される。板状部材１０は、一端１１側から他端１２側に亘って、湾曲するように構成されている。板状部材１０は、上縁部１３および下縁部１４を備えており、それらは互いに平行となっている。板状部材１０を構成する材料としては、アクリル樹脂が用いられている。
【００１９】
第１係止部２０は、板状部材１０の一端１１側に配置されている。第１係止部２０は、第１切欠き部２１と、第２切欠き部２２とを備えている。第１切欠き部２１は、板状部材１０の一端１１側であって上縁部１３に配置されている。第２切欠き部２２は、板状部材１０の一端１１側であって下縁部１４に配置されている。第１切欠き部２１は、第２切欠き部２２よりも、板状部材１０の一端１１側に配置されている。第２切欠き部２２は、第１切欠き部２１よりも、板状部材１０の他端１２側に配置されている。
【００２０】
第２係止部３０は、板状部材１０の他端１２側に配置されている。第２係止部３０は、第３切欠き部３１と、第４切欠き部３２とを備えている。第３切欠き部３１は、板状部材１０の他端１２側であって上縁部１３に配置されている。第４切欠き部３２は、板状部材１０の他端１２側であって下縁部１４に配置されている。第３切欠き部３１は、第４切欠き部３２よりも、板状部材１０の他端１２側に配置されている。第４切欠き部３２は、第３切欠き部３１よりも、板状部材１０の一端１１側に配置されている。
【００２１】
各切欠き部の位置関係としては、板状部材１０の一端１１から他端１２に向かって、第１切欠き部２１、第２切欠き部２２、第４切欠き部３２、および第３切欠き部３１が、この順で配置されている。各切欠き部は、マスクの紐部材が取り付けられるように、形成されている。各切欠き部の形状、および紐部材の取り付けの態様については、後述する。
【００２２】
図２は、本考案の実施形態に係るマスク用係止具１００を構成する各要素を、説明するための図である。第１切欠き部２１は、直交部２１ａおよび平行部２１ｂを備えており、Ｌ字状に形成されている。直交部２１ａは、板状部材１０の上縁部１３と直交する切欠き部である。平行部２１ｂは、板状部材１０の上縁部１３と平行する切欠き部である。平行部２１ｂは、直交部２１ａの突き当りから板状部材１０の一端１１に向かって伸長している。
【００２３】
第２切欠き部２２は、直交部２２ａおよび平行部２２ｂを備えており、Ｌ字状に形成されている。直交部２２ａは、板状部材１０の下縁部１４と直交する切欠き部である。平行部２２ｂは、板状部材１０の下縁部１４と平行する切欠き部である。平行部２２ｂは、直交部２２ａの突き当りから板状部材１０の一端１１に向かって伸長している。
【００２４】
第３切欠き部３１は、直交部３１ａおよび平行部３１ｂを備えており、Ｌ字状に形成されている。直交部３１ａは、板状部材１０の上縁部１３と直交する切欠き部である。平行部３１ｂは、板状部材１０の上縁部１３と平行する切欠き部である。平行部３１ｂは、直交部３１ａの突き当りから板状部材１０の他端１２に向かって伸長している。
【００２５】
第４切欠き部３２は、直交部３２ａおよび平行部３２ｂを備えており、Ｌ字状に形成されている。直交部３２ａは、板状部材１０の下縁部１４と直交する切欠き部である。平行部３２ｂは、板状部材１０の下縁部１４と平行する切欠き部である。平行部３２ｂは、直交部３２ａの突き当りから板状部材１０の他端１２に向かって伸長している。
【００２６】
第１切欠き部２１、第２切欠き部２２、第３切欠き部３１、および第４切欠き部３２に、マスクの紐部材が取付けられる際、先ず、各直交部２１ａ、２２ａ、３１ａ、３２ａから紐部材が通される。そして、各平行部２１ｂ、２２ｂ、３１ｂ、３２ｂの突き当りにおいて、紐部材が係止される。このように、各切欠き部がＬ字状に形成されていることにより、紐部材の取付け・取外しを容易に行うことができるとともに、装着中に紐部材からのマスク用係止具１００の脱落が、抑制され得る。
【００２７】
図３は、本考案の実施形態に係るマスク用係止具１００が、マスクに適用された状態を説明するための図である。マスク２００は、フィルタ部材２１０と、第１紐部材２２０と、第２紐部材２３０とを備えている。フィルタ部材２１０は、装着者の鼻孔および口を覆い、呼吸気をフィルタ可能に構成されている。フィルタ部材２１０の左縁部において、第１紐部材２２０の一端および他端が取り付けられている。フィルタ部材２１０の右縁部において、第２紐部材２３０の一端および他端が取り付けられている。
【００２８】
第１紐部材２２０は、第１切欠き部２１に引掛けられる。第２紐部材２３０は、第３切欠き部３１に引掛けられる。これにより、第１紐部材２２０および第２紐部材２３０が、マスク係止具１００を介して接続され得る。従って、装着時において、紐部材が耳に引掛けられることなく、マスクが保持され得る。
【００２９】
マスク係止具１００は、装着者の後頚部に当接する。上述のように、板状部材１０は湾曲しているため、マスク係止具１００が後頚部にフィットし易い。また、板状部材１０は、アクリル樹脂にて構成されている。これにより、マスク用係止具１００の洗浄が容易となり、繰返し使用が可能となる。加えて、装着者が金属アレルギを有する場合であっても、適切に使用することができる。
【００３０】
図３の紐部材の取り付けの態様に代えて、図４に示すように、第１紐部材２２０が、第２切欠き部２２に引掛けられてもよい。第２紐部材２３０が、第４切欠き部３２に引掛けられてもよい。このように、装着時に緩めたい場合には、取付け部位として、第１切欠き部２１および第３切欠き部３１が選択され得る（図３を参照）。一方、装着時にきつくしたい場合には、第２切欠き部２２および第４切欠き部３２が選択され得る（図４を参照）。
【００３１】
以上、本考案の実施形態に係るマスク用係止具１００によれば、第１、第２紐部材２２０、２３０に対して、マスク用係止具１００の取付け部位が、それぞれ２箇所となり得る。すなわち、第１、第２紐部材２２０、２３０の取付け位置を、調整する余地が生じ得る。従って、マスクのフィット感の要望に応えることができる。
【００３２】
なお、本考案によるマスク用係止具における構成要素の形状、材料等は、実用新案登録請求の範囲のものであればよく、上記実施形態のものに限定されない。
【符号の説明】
【００３３】
１００…マスク用係止具、１０…板状部材、１１…板状部材の一端、１２…板状部材の一端、１３…板状部材の上縁部、１４…板状部材の下縁部、２０…第１係止部、２１…第１切欠き部、２２…第２切欠き部、３０…第２係止部、３１…第３切欠き部、３２…第４切欠き部、２００…マスク、２２０…第１紐部材、２３０…第２紐部材
【図１】
0003229315.tif 000003
【図２】
0003229315.tif 000004
【図３】
0003229315.tif 000005
【図４】
0003229315.tif 000006